(57)【特許請求の範囲】
【請求項１】
少量の容積を有し、後端に紐（１２０）が取付けられた連結片（１１０）が設けられ、前記連結片の中央に携帯用やっとこがかけられるかけ溝（１３０）が形成されたケース（１００）と、前記ケース（１００）の内部に位置し、供給される薬液量によって膨張されながら薬液を貯蔵するとともに、薬液を患者に投与しようとする場合には膨張圧力により貯蔵薬液が残留することなくすっかり排出されるようにする薬液貯蔵手段（２００）と、前記薬液貯蔵手段の先端部外側に結合され、薬液を注入し得るようにするとともに、貯蔵されている薬液がホース（３００）を介して排出されるようにする第一の３方向バルブ（４００）と、ホース（３００）の端部に連結され、常に一定量供給されるように薬液量を調節するとともに、供給される薬液の一部を貯蔵してから必要によって一時的に貯蔵薬液を投与させ得るようにする薬液量調節手段（５００）とを備える医薬品注入器において、
前記薬液量調節手段（５００）は、ボックス（５１０）と、前記ボックス（５１０）に位置し、ホース（３００）から供給される薬液に含有された異物質を濾過してから分岐させる３方向異物濾過部材（５２０）と、前記３方向異物濾過部材にそれぞれ連結されて、異物質が濾過された薬液を調節して供給させる薬液量調節管（５３０、５３０A）と、前記薬液量調節管の一側の薬液量調節管（５３０）に連結され、供給される薬液の流れを調節する第二の３方向バルブ（５４０）と、一端が他の薬液量調節管（５３０A）に連結され他端は第二の３方向バルブ（５４０）に連結され、供給される薬液を貯蔵するとともに、前記貯蔵された薬液を第二の３方向バルブ（５４０）を介して一時に投与し得るようにする薬液自家投与部材（５５０）とから構成され、
前記薬液貯蔵手段（２００）は、先端が前記ケース（１００）の内部に固定され、外周面に内部と連通する複数の通孔（２１１）が形成された固定管（２１０）と、前記固定管の後方から移動可能に挿入された移動軸（２２０）と、前記固定管（２１０）の外周面部を被覆する状態で両側が固定管（２１０）と移動軸（２２０）との端部にそれぞれ連結され、注入される薬液量によって膨張されるとともに膨張された圧力により前記第一の３方向バルブ（４００）に薬液を排出し得る伸縮性の薬液貯蔵チューブ（２３０）と、前記固定管（２１０）と移動軸（２２０）との間に空間部（２４０）が形成されるように前記移動軸（２２０）の外周面に長手方向に一定間隔で突出して設けられた隆出突起（２２１）とを有することを特徴とする医薬品注入器。
【請求項２】
前記移動軸（２２０）は、その端部外周縁に被せられるように、一側面に切取面（２６１）が形成され、外周縁の中央部に凹込溝（２６２）が形成された固定リング（２６０）と、前記固定リングの外面に薬液貯蔵チューブの端部が被せられた状態で、固定リング（２６０）に結合されて凹込溝（２６２）に凹込されるよう内周面の中央に隆出突起（２７１）が形成された結合リング（２７０）とを有することを特徴とする請求項１記載の医薬品注入器。
【請求項３】
前記第一の３方向バルブ（４００）は、内部が中空状態になって薬液が流れるようにする連結管（４１０）を構成し、前記連結管の一側に、薬液を注入し得るようにする注入管（４２０）を一体に構成し、連結管（４１０）の内部に緊密に密着されるように挿入されて、前記注入管を遮断させた状態で連結管（４１０）が連通されて薬液が流れるようにするとともに、注入管（４２０）からの薬液供給時、自体の弾性力により押されて注入管（４２０）と連結管（４１０）とが連通されるようにする弾性管（４３０）を構成してなることを特徴とする請求項１記載の医薬品注入器。
【請求項４】
前記３方向異物濾過部材（５２０）は、ホース（３００）に連結される連結管（５２１）を構成し、連結管（５２１）の下流に薬液を収容し得る収容部（５２２）を構成し、前記収容部の内部に流入される薬液に含有された異物質を濾過する濾過フィルタ（５２３）を構成し、前記収容部の下端両側に、異物質が濾過された薬液をそれぞれ分岐して供給する分岐管（５２４、５２５）を構成してなることを特徴とする請求項１記載の医薬品注入器。
【請求項５】
前記第二の３方向バルブ（５４０）は、一端が薬液調節管（５３０）に連結され他端がホース（３００A）に連結された状態で、薬液が流れるようにする連結管（５４１）を構成し、前記連結管（５４１）の一側に連通され、薬液自家投与部材（５５０）から薬液が供給されるようにする供給管（５４２）を構成し、連結管（５４１）の内部に、自体の弾性力により供給管（５４２）を密閉させた状態で薬液が流れるようにする弾性管（５４３）を構成してなることを特徴とする請求項１記載の医薬品注入器。
【請求項６】
薬液自家投与部材（５５０）は、一側が薬液量調節管（５３０A）が連結され他端が供給管（５４２）に連結された状態で、供給される薬液を貯蔵させる薬液貯蔵部（５５１）を構成し、前記薬液貯蔵部の上面に位置した状態で先端部がボックス（５１０）の上部に突出して、薬液貯蔵部（５５１）を押し得るようにするプッシュボタン（５５２）を構成してなることを特徴とする請求項１記載の医薬品注入器。
【発明の詳細な説明】
【０００１】
【発明の属する技術分野】
本発明は医薬品注入器に関するもので、特に特殊な鎮痛剤及び抗生剤の投与時、別の調節なくても常に一定量の薬液が正確に投与されるようにするとともに、患者の状態によって一時的に多量の薬液を随時に投与して患者の治療が効率的になされるようにした医薬品注入器に関するものである。
【０００２】
【従来の技術】
一般に、癌又は白血病等にかかった患者には特殊な抗生剤を投与し、手術後、持続的に痛む患者には痛みを鎮めるため一定時間の周期に鎮痛剤を投与させることになる。
このように癌又は白血病等にかかった患者に投与される抗生剤は一般的に投与される薬液とは異なり、薬の特性上微量が常に一定に投与されるべきであるが、現在使用されている投与方式は薬液が投与されるホースに使用者が任意に量を調節し得るようにする調節部を備えて、前記調節部を医療陣（医者及び看護婦）が直接操作して調節者により投与量を調節させるようにしているため、患者の状態によって正確な量が投与されなく、よって随時に投与量を調節させるべきである使用上の面倒があることは勿論、患者の治療に悪影響を及ぼすことになる欠点があった。
【０００３】
即ち、医療陣が直接投与量を手操作により調節させているため、調節された薬液の没与量が正常数値より高い場合、過多量の投与により患者に昏睡状態及びショック死を起こす憂いがあり、これとは反対に投与量が少ない場合は、正確な治療がなされない等の欠陥があった。
又、抗生剤又はその他の薬液を投与する途中に鎮痛剤等のような他の薬液をともに投与しようとする場合は、注射器を用いて人体に直接投与するか、薬液が通過するホースに注射針刺して投与するようにしているため、人体に直接投与する場合は、患者に大きい痛みを与えて患者の安定を害することは勿論、医療人力の浪費が大きく、ホースに注射器針を刺す場合、頻繁な投与によりホースが損傷されるため、損傷部位を介して投与薬液が漏出される欠点と、外部からの菌浸透により感染でき、このためホース及び薬液を新たなもので交替すべきである面倒があった。
【０００４】
特に、注射器で患者に薬を投与する場合、注射器を押す力によって薬の投与量がそれぞれ異なるため、一時に多量の薬液が投与される場合、患者に悪影響を及ぼす等の問題点が同伴されたものである。
そして、注入ポンプを用いて薬液を投与しようとする場合は、患者が注入ポンプ機械に拘束されて活動に制限を受けるか、安全のための警報装置からの頻繁な警報鳴らしにより患者自身は勿論周辺の他の患者にも安眠妨害を起こしたものである。
【０００５】
【発明が解決しようとする課題】
従って、本発明の目的は癌又は白血病等にかかった患者に投与される特殊抗生剤の投与時、別の操作なくても常に一定量の薬液が投与できるようにして、薬液の正確な投与による効率的な治療がなされるようにすることは勿論、薬液が投与される途中に持続的に痛みがある場合及び投与される薬液量より多い量の薬液を瞬間的に投与しようとする場合、別の注射器を使用しなくても簡単な操作により一定量の薬液がさらに投与されるようにすることである。
【０００６】
【課題を解決するための手段】
上記目的を達成するため、本発明の医薬品注入器は、少量の容積を有し、後端に紐が縛られる連結片が構成され、前記連結片の中央に携帯用やっとこがかけられるかけ溝が形成されたケースと、前記ケースの内部に位置し、供給される薬液量によって膨張されながら薬液を貯蔵するとともに、薬液を患者に投与しようとする場合には膨張圧力により貯蔵薬液が残留なしにすっかり排出されるようにする薬液貯蔵手段と、前記薬液貯蔵手段の先端部外側に結合され、薬液を注入し得るようにするとともに、貯蔵されている薬液がホースを介して排出されるようにする第一の３方向バルブと、ホースの端部に連結され、常に一定量供給されるように薬液量を調節するとともに、供給される薬液の一部を貯蔵してから必要によって一時的に貯蔵薬液を投与させ得るようにする薬液量調節手段とを備える医薬品注入器において、
前記薬液量調節手段は、ボックスと、前記ボックスに位置し、ホースから供給される薬液に含有された異物質を濾過してから分岐させる３方向異物濾過部材と、前記３方向異物濾過部材にそれぞれ連結されて、異物質が濾過された薬液を調節して供給させる薬液量調節管と、前記薬液量調節管の一側の薬液量調節管に連結され、供給される薬液の流れを調節する第二の３方向バルブと、一端が他の薬液量調節管に連結され他端は第二の３方向バルブに連結され、供給される薬液を貯蔵するとともに、前記貯蔵された薬液を第二の３方向バルブを介して一時に投与し得るようにする薬液自家投与部材とから構成され、
前記薬液貯蔵手段は、ケースの先端部外側に露出された状態で内部に固定され、外周面に内部と連通される多数の通孔が形成された固定管を構成し、前記固定管の後方から挿入されて任意に移動される移動軸を構成し、固定管の外周面部に被された状態で両側が固定管と移動軸の端部にそれぞれ連結され、注入される薬液量によって膨張されるとともに膨張された圧力により前記第一の３方向バルブに薬液を排出し得る伸縮性の薬液貯蔵チューブを構成し、前記固定管を介して薬液が円滑に注入及び排出されるようにするとともに前記移動軸が自由に移動できるようにするため、前記移動軸の外周面に長手方向に一定間隔で突出する隆出突起を形成し、前記隆出突起により固定管と移動軸との間に空間部が形成されていることを特徴とする。
【０００７】
【発明の実施の形態】
以下、添付図面に基づいて本発明の実施例の構成を説明すると次のようである。図１は本発明の全体構成を示す概略正断面図で、少量の客積を有し、後端に紐１２０が連結される連結片１１０が構成され、前記連結片の中央に携帯用やっとこがかかるかけ溝１３０が構成されたケース１００と、前記ケース１００の内部に位置し、供給される薬液量によって膨張されながら薬液を貯蔵するとともに、薬液を患者に投与しようとする場合には膨張圧力により貯蔵薬液が残留なしにすっかり排出されるようにする薬液貯蔵手段２００と、前記薬液貯蔵手段の先端部外側に結合され、外部から前記薬液貯蔵手段内に薬液を注入し得るようにするとともに、貯蔵されている薬液がホース３００を介して排出されるようにする第一の３方向バルブ４００と、所定長さのホース３００の端部に連結され、他端は他のホース３００Ａに連結され、患者の手首に固定された状態でホースを介して供給される薬液が患者に常に一定量供給されるように薬液量を調節するとともに、供給される薬液を一時的に貯蔵してから必要によって貯蔵薬液を強制に投与させ得るようにする薬液量調節手段５００とを備えるものである。
【０００８】
図２及び図３は本発明の薬液貯蔵手段の構成を示す拡大断面図で、前記薬液貯蔵手段２００は、ケース１００の先端部外側に露出された状態で内部に固定され、外周面に内部と連通される多数の通孔２１１が形成された固定管２１０を備え、前記固定管の後方から挿入されて任意に移動される移動軸２２０を備え、固定管の外周面部に被された状態で両側が固定管と移動軸の端部にそれぞれ連結され、注入される薬液量によって膨張されるとともに膨張された圧力により薬液を排出し得る伸縮性ある薬液貯蔵チューブ２３０を備えて構成される。ここで、薬液貯蔵チューブの端部は移動軸の端部に被せられた状態で、その外周縁から所定圧縮力を有する弾性ゴムリング２５０を被せることにより、移動軸が移動する時、薬液貯蔵チューブが任意に抜かない状態で膨張される。又、固定管２１０を介して薬液が円滑に注入及び排出されるようにするとともに移動軸が自由に移動できるようにするため、図４に示すように、移動軸２２０の外周面に長手方向に一定間隔で突出する隆出突起２２１を形成して、前記隆出突起により固定管２１０と移動軸２２０間に空間部２４０が形成されるようにし、透明体のケース１００の外面に、注入される薬液の残留量を確認し得るようにする目盛り１４０を表記することにより、薬液貯蔵チューブ２３０内に注入される薬液量及び残留薬液量を易しく確認し得るようにする。
【０００９】
前記隆出突起２２１は、図４に示すように、固定管の内周面との接触面積を最小限減らすために、三角形又は半円形に形成することもできる。又、前記第一の３方向バルブ４００は、一端がケース１００の外面に露出された固定管２１０に挿入結合され、他端はホース３００に連結される連結管４１０を構成し、前記連結管の一側に、薬液を注入し得るようにする注入管４２０を一体に構成し、連結管の内部に緊密に密着されるように挿入されて、前記注入管を遮断させた状態で薬液が投与されるようにするとともに、注射液の注入時、注入される圧力により押されて注入管と連結管とが連通されるようにするシリコン及びゴム材質の弾性管４３０を構成してなるものである。ここで、前記注入管４２０にはキャップ４４０を螺合させることにより、薬液を注入させない時、注入管が緊密に密閉されて、注入管の内部が感染されるか内部に異物質が付くことを防止する。
【００１０】
図５は本発明の薬液量調節手段の結合状態を示す平断面図、図６は図５のＢ−Ｂ線についての断面図で、前記薬液量調節手段５００は、上下に分離結合され、手首に固定させるバンド５１１（図１参照）が底面に形成されたボックス５１０の一側に位置し、ホース３００から供給される薬液に含有された異物質を濾過してから分岐させる３方向異物濾過部材５２０と、前記３方向異物濾過部材の下流側にそれぞれ連結されて、異物質が濾過された薬液を調節して供給させる薬液量調節管５３０、５３０Ａと、前記薬液量調節管の一側の薬液量調節管５３０に連結され、供給される薬液の流れを調節する第二の３方向バルブ５４０と、一端が他の薬液量調節管５３０Ａに連結され他端は第二の３方向バルブ５４０に連結され、供給される薬液を貯蔵するとともに、前記貯蔵された薬液を一時に投与し得るようにする薬液自家投与部材５５０とから構成されたものである。
【００１１】
前記３方向異物濾過部材５２０は、ホース３００に連結される連結管５２１の下部に薬液を収容し得る収容部５２２を構成し、前記収容部の内部に流入される薬液に含有された異物質を濾す濾過フィルタ５２３を構成し、前記収容部の下端両側に、異物質が濾された薬液をそれぞれ分岐して供給する分岐管５２４、５２５を構成してなったものである。
又、薬液量調節管５３０、５３０Ａには、分岐管から流れる薬液量を調節して供給し得るよう、多数の微細毛細管５３１、５３１Ａがそれぞれ形成され、薬液量調節管５３０の毛細管５３１の大きさより薬液量調節管５３０Ａの毛細管５３１Ａの大きさを多少大きくして、薬液自家投与部材５５０に短時間に薬液が供給されるようにする。
【００１２】
又、第二の３方向バルブ５４０は、一端が薬液調節管５３０に連結され他端がホース３００Ａに連結された状態で、薬液が流れるようにする連結管５４１を構成し、前記連結管の一側に連通され、薬液自家投与部材５５０から薬液が供給されるようにする供給管５４２を構成し、連結管の内部に、自体の弾性力により供給管を密閉させた状態で薬液が流れるようにする弾性管５４３を構成してなったものである。そして、薬液自家投与部材５５０は、一側が薬液量調節管５３０Ａが連結され他端が供給管５４２に連結された状態で、供給される薬液を貯蔵させる薬液貯蔵部５５１を構成し、前記薬液貯蔵部の上面に位置した状態で先端部がボックス５１０の上部に突出して、薬液貯蔵部を押し得るようにするプッシュボタン５５２を構成してなったものである。ここで、ボックス５１０内に流入されるホース３００と第二の３方向バルブ５４０を介してボックスの外部に露出されるホース３００Ａが同方向に位置するようにしてボックスを患者の手首に固定する時、ホース３００Ａにより活動上障害を与えないようにする。
【００１３】
このように構成された本発明の作用を説明すると次のようである。
先ず、薬液貯蔵手段２００内に薬液が満たされなかった状態では、図２に示すように、薬液貯蔵チューブ２３０がその伸縮力により収縮されるので、移動軸２２０が固定管２１０内に収納されている状態を維持することになる。
前記のような状態で、薬液貯蔵チューブ２３０内に薬液を貯蔵しようとする場合、図３に示すように、注入管４２０に締結されているキャップ４４０を解けて開放させた注入管４２０に、薬液が満たされた注射器を刺してから加圧させると、注入管４２０内に注入される薬液の圧力により、連結管４１０の内周面と緊密に密着されていたシリコンチューブの弾性管４３０が内部に押されて連結管４１０と弾性管４３０間に空間部生じ、この空間部を介して薬液が固定管２１０内に流入され、前記固定管内に収納されていた移動軸２２０が薬液の圧力により後方に押され、固定管の外周面に被された状態で固定管と移動軸の各端部に固定されている伸縮性の薬液貯蔵チューブ２３０が強制に膨張され、移動軸が後退するにつれて、固定管２１０内に供給される薬液が前記固定管の外周面に形成された通孔２１１を介して固定管の外部に出て薬液貯蔵チューブ２３０に満たされる。
薬液の注入量により薬液貯蔵チューブが膨張する時、前記薬液貯蔵チューブの端部が弾性ゴムリング２５０により移動軸に堅固に結合された状態で移動することになるものである。
【００１４】
このように持続的に薬液量により、図３に示すように、伸縮性の薬液貯蔵チューブ２３０が膨張状態を維持し、注入される薬液量はケース１００に表記されている目盛り１４０で確認して、注入しようとする薬液量を測定することになる。前記の状態で薬液の注入が完了されると、注入管４２０をキャップ４４０で塞ぎ、この際に、注入される薬液の圧力により押されていた弾性管４３０が原状に復帰して連結管４１０の内周面と緊密に密着して注入管４２０を密閉させるので、固定管２１０から逆流される薬液が注入管４１０を介して外部に漏出されることがなくなる。このようにして薬液貯蔵チューブ２１０内に貯蔵されている薬液を患者に投与しようとする場合、先ず、ホース３００Ａの先端に連結されている注射針を患者の血管に刺して固定させた後、薬液量調節手段５００、つまりボックス５１０に結合されているバンド５１１を患者の手首に縛ると薬液量調節手段５００が面倒でなくなる。
【００１５】
又、患者が横たわっている時には、ケース１００の後方に構成された連結片１１０の両側に縛られている紐１２０を用いて寝台又は移動用かけ棒にかけるか、移動時には紐を首にかけるとともに、かけ溝１３０に差込まれて固定された携帯用やっとこを釘にかけることにより、患者又は患者保護者がケースを持って行き来するのに不便がなくなる。このような状態で、注入された薬液により強制に膨張されている薬液貯蔵チューブ２３０が自体の伸縮力により圧縮力を発生させるので、注入されている薬液が固定管２１０の通孔を介して、前記固定管２１０の先端部に結合されている第一の３方向バルブ４００の連結管４１０を通過する。この際に、前記連結管内に挿入されている弾性管４３０が自体の弾発力により連結管の内周面に緊密に密着されているので、連結管内を通過する薬液が注入管４２０に排出されなく弾性管を介してホース３００に流出される。
【００１６】
このようにホース３００を介して流れる薬液はホースの先端部に連結されている薬液量調節手段５００、つまりホース３００に連結されている連結管５２１を介して収容部５２２内に流入され、この薬液は内部に位置している濾過フィルタ５２４を通過しつつ、薬液に含有されている微細異物質が濾されるので、純粋薬液のみが分岐管５２４、５２５を介して供給されることになる。
このように異物質が濾された薬液は分岐管に連結されている薬液量調節管５３０、５３０Ａを通過する。この際に、前記薬液調節管に構成されている微細毛細管５３１、５３１Ａを通過しながら薬液量が調節されるものである。
これをより具体的に説明すると、薬液量調節管５３０の毛細管５３１を通過する薬液は患者に直接投与されるもので、毛細管を微細に構成して最適量の薬液が投与されるようにし、薬液量調節管５３０Ａは薬液自家投与部材に連結されるもので、毛細管５３１Ａの大きさを毛細管５３１の大きさより多少大きく形成して短時間に薬液自家投与部材内に薬液が供給されて貯蔵されるようにする。
【００１７】
このように薬液量調節管を通過する薬液は連結管５４１の内周面に緊密に密着されている弾性管５４３を通過しホース３００Ａを介して患者に投与される。この際に、前記連結管の内周面に位置する弾性管５４３が自体弾性力により供給管と緊密に密着しているので、供給管面を介して薬液が排出されないとともに流入されなくて、薬液量調節管５３０から調節されて供給される薬液のみが一定に投与されるものである。このように分岐管５２４に薬液が供給されるとともに一側に位置する分岐管５２５に薬液が同じに供給され、前記分岐管５２５に供給される薬液は薬液量調節管５３０Ａの毛細管５３１Ａを経ながら薬液量が調節されて薬液貯蔵部５５１内に供給されて貯蔵される。このように一定量の薬液を患者に投与して患者を治療する途中、患者が酷い痛みを訴えるか、患者の状態によって投与中の薬液量より多い量の薬液を一時的に投与しようとする場合は、ボックス５１０の一側に位置し上部に突出しているプッシュボタン５５２を押すと、前記プッシュボタンが下降することによりその下部に位置する薬液貯蔵部５５１が圧縮され、内部に貯蔵されている薬液が供給管５４２を介して連結管５４１内に流入される力により、供給管を密閉していた弾性管５４３が内側に押されて、連結管５４１と供給管５４２が連通されるので、前記供給管を介して強制に排出される薬液が連結管５４１を介して患者に投与されるものである。
【００１８】
このように薬液貯蔵部５５１内に貯蔵されている薬液の供給が完了された時、押していたプッシュボタン５５２を放すと、供給管５４２に強制排出される薬液の圧力が除去され、強制排出される薬液の圧力により押されていた弾性管５４３が自体弾性力により原状復帰して供給管５４２を緊密に密閉させるので、連結管５４１を介して供給される薬液のみが患者に投与されて正常的な薬液の投与がなされる。薬液が排出された薬液貯蔵部５５１内には薬液調節管５３０Ａを通過した薬液が徐々に供給され貯蔵されて先のような待機状態となる。ここで、薬液調節管５３０Ａの微細毛細管５３１Ａを介して微量の薬液が薬液貯蔵部５５１内に供給されるので、所定時間が経過した時にだけ薬液貯蔵部５５１内に一定量の薬液が貯蔵されるようにすることにより、薬液貯蔵部内に貯蔵されている薬液を投与した直後再び薬液を多量投与し得ないようにするので、薬液の過多投与による安全事故を防止して安全に患者を治療することになる。
【００１９】
このように薬液が患者に投与されると、投与量によって薬液貯蔵チュ一ブ２３０内に貯蔵されている薬液量が段々減少して、強制膨張されていた薬液貯蔵チューブが収縮するとともに、固定管２１０内で後退されていた移動軸２２０が固定管内に挿入されながら固定管の外周面に形成された通孔２２１を漸次閉鎖させる。この際に、前記移動軸の外周面に縦方向に突出されている隆出突起２２１により固定管２１０の内周面と移動軸２２０の外周面間に形成される微細空間部２４０により、通孔２１１を通過した薬液が固定管２１０の内部に円滑に排出され、薬液貯蔵チューブ２３０が最終に固定管２１０の外周面に緊密に密着されると、薬液貯蔵チューブ内に貯蔵されていた薬液がすっかり排出されるので、薬液貯蔵チューブ内に薬液が残留しなくて高価の薬液の浪費を防止することになる。
【００２０】
本発明の薬液貯蔵チューブの端部と移動軸の結合の他の実施例として、図７及び図８に示すように、移動軸２２０の端部外周縁に被せられるよう一側面に切取面２６１を構成し、外周縁の中央部に凹込溝２６２が形成された固定リング２６０を構成し、前記固定リングの外面に薬液貯蔵チューブの端部が被せられた状態で、固定リングに嵌合されて凹込溝に凹込されるよう内周面の中央に隆出突起２７１が形成された結合リング２７０を構成することもできる。
この実施例においては、移動軸２２０の外周縁に薬液貯蔵チューブ２３０が被せられた状態で固定リング２６０を嵌合させる。この際に、前記固定リングは一側面に構成された切取面２６１を基点として外側に広がるようにした状態で、薬液貯蔵チューブ２３０の外周縁を取囲むようにすると、強制に広がった固定リングが自体弾性力により収縮して１次に移動軸に薬液貯蔵チューブが固定されるようにする。
このような状態で、固定リング２６０の外面に結合リング２７０を強制に結合させると、前記結合リングの内周面に突出された隆出突起２７１が固定リングの外周縁に形成された凹込溝２６２に挿入されて結合されることにより、固定リング移動軸の外周縁に被せられている薬液貯蔵チューブを緊密に加圧するので、多量の薬液が注入されて薬液貯蔵チューブが過度に膨張しても前記薬液貯蔵チューブの端部が任意に抜出さなくなる効果があるものである。
【００２１】
【発明の効果】
以上説明したように、本発明は、注入される薬液により薬液貯蔵チューブが強制膨張された状態で膨張圧力で薬液を排出させるようにして貯蔵薬液を残余量なく完全に排出させるので、高価の抗生剤及び鎮痛剤の浪費を防止する効果があり、薬液量調節管により薬液量の調節なくても常に一定量の薬液を投与し得るので、薬液の過多投与による安全事故の危険なしに正確な投与による円滑な治療を期待し得る効果があり、投与される薬液の一部を貯蔵した後、患者の酷い痛み又は医療陣の指示によって一時的に多量の薬液を投与しようとする時、貯蔵した薬液を一時に投与し得るようにするので、患者に別の痛みを与えなくても薬液を投与し得る等の効果があるものである。
【図面の簡単な説明】
【図１】  本発明の医薬品注入器の一実施例の構成を示す概略正断面図である。
【図２】  本発明の薬液貯蔵手段の構成を示すもので、薬液が満たされる前の状態の拡大断面図である。
【図３】  本発明の薬液貯蔵手段の構成を示すもので、薬液が満たされた状態の拡大断面図である。
【図４】  図３のA−A線についての拡大断面図である。
【図５】  本発明の薬液量調節手段の結合状態を示す平断面図である。
【図６】  図５のB−B線についての断面図である。
【図７】  本発明の他の実施例を示す分解斜視図である。
【図８】  図７の結合状態を示す要部拡大断面図である。
【符号の説明】
１００  ケース
２００  薬液貯蔵手段
２１０  固定管
２１１  通孔
２２０  移動軸
２２１  隆出突起
２３０  薬液貯蔵チューブ
２４０  空間部
２６０  固定リング
２６１  切取面
２６２  凹込溝
２７０  結合リング
２７１  隆出突起
３００  ホース
４００  第一の３方向バルブ
４１０  連結管
４２０  注入管
４３０  弾性管
４４０  キャップ
５００  薬液量調節手段
５１０  ボックス
５１１  バンド
５２０  ３方向異物濾過部材
５２１  連結管
５２２  収容部
５２３  濾過フィルタ
５２４、５２５  分岐管
５３０、５３０Ａ  薬液量調節管
５３１、５３１Ａ  毛細管
５４０  第二の３方向バルブ
５４１  連結管
５４２  供給管
５４３  弾性管
５５０  薬液自家投与部材
５５１  薬液貯蔵部
５５２  プッシュボタン
【図１】
0003667521.tif 000002
【図２】
0003667521.tif 000003
【図３】
0003667521.tif 000004
【図４】
0003667521.tif 000005
【図５】
0003667521.tif 000006
【図６】
0003667521.tif 000007
【図７】
0003667521.tif 000008
【図８】
0003667521.tif 000009